(57)【要約】【課題】接着剤を用いないで製造できて、外観美麗な水引の提供。【解決手段】紙撚芯２１ａ等からなる芯材２１と、該芯材２１の表面に巻き付けられ、巻き付け後に加熱されることによって形状が保持される合成樹脂からなる保形用線状体３２とを有する水引１１。芯材２１の表面に、上記保形用線状体３２と必要な装飾用線状体３３，３４を巻き付けた後、これらを、保形用線状体３２が溶けない温度で加熱して保形用線状体３２の巻き付け状態を保持する。【選択図】図２
2008002038.tif 000002
【特許請求の範囲】
【請求項１】
芯材と、該芯材の表面に巻き付けられ、巻き付け後に加熱されることによって形状が保持された合成樹脂からなる線状体とを有する
水引。
【請求項２】
前記線状体の下または上に、合成樹脂からなる装飾用線状体が巻き付けられた
請求項１に記載の水引。
【請求項３】
前記芯材が、伸縮可能なゴムからなる
請求項１または請求項２に記載の水引。
【請求項４】
前記線状体が、２００〜３５０デニールのモノフィラメント糸である
請求項１から請求項３のうちのいずれか一項に記載の水引。
【請求項５】
前記線状体が、１０〜３０デニールのモノフィラメント糸である
請求項１から請求項３のうちのいずれか一項に記載の水引。
【請求項６】
芯材の表面に合成樹脂からなる線状体を巻き付けた後、これら芯材と線状体を、線状体が溶けない温度で加熱して線状体の巻き付け状態を保持する
水引の製造方法。
【発明の詳細な説明】
【技術分野】
【０００１】
この発明は、たとえば慶弔や装飾、手芸等において用いられる水引に関する。
【背景技術】
【０００２】
水引は、古くはこよりに糊を引いてかためてから染めて製造されていた。しかし、装飾効果を高めるため、こより等の芯材の表面に糸やテープを巻き付けて構成されるようになった。このような水引として下記特許文献１〜５の開示されているようなものがある。
【０００３】
特許文献１の水引は、水引芯に、蒸着プラスチックフィルムや絹様糸からなる色分けされた巻き付け糸が、接着剤を用いて、密あるいは粗に巻き付けられたものである。
【０００４】
特許文献２の水引は、紙撚芯に、蒸着プラスチックフィルムまたは金属箔の細長片が接着剤層を介して隙間なく巻付けられ、人造絹またはナイロン糸が隙間をあけて巻付けられたものである。
【０００５】
特許文献３の水引は、任意の色をした紙芯に、金属箔または蒸着プラスチックフィルムの細長片をあらく巻付け、その上に透明なフィルムの細長片を密に巻きつけたものである。いずれのフィルムの細長片も接着剤を用いて巻付けられる。
【０００６】
特許文献４の水引は、紙撚芯の外周に、金属蒸着層を積層した箔状物のスリット糸を、金属蒸着層を外側にして巻付けたものである。巻付けは接着剤によって行われる。
【０００７】
特許文献５の水引は、可塑性の樹脂線状体を芯にして、その外周面を溶解性の接着剤を介して耐水性の装飾テープ箔で被包したものである。
【０００８】
このように、水引は、芯や巻付ける糸等に工夫がなされ、装飾性を高める工夫がなされている。また、たとえば特許文献５の水引においては、加工形状の保持性能が良好で、耐久性も高いという、機能面での工夫もなされている。
【０００９】
しかし、上記いずれの水引においても、糸やテープの巻付けは、接着剤を用いて行うものである。このため、接着剤のはみ出し等により外観が損なわれたり、接着不良が発生したりすることがある。また、接着剤を用いずに糸やテープの巻付けが行われた水引はなかった。
【００１０】
【特許文献１】実開昭５７−１８９４号公報
【特許文献２】実公昭６０−２１４２７号公報
【特許文献３】実開昭５８−１７６９８９号公報
【特許文献４】実公昭６１−２００６５号公報
【特許文献５】実公昭６２−４５０２２号公報
【発明の開示】
【発明が解決しようとする課題】
【００１１】
そこで、この発明は、接着剤を用いずに製造できるようにすることを主たる課題とする。
【課題を解決するための手段】
【００１２】
そのための手段は、芯材と、該芯材の表面に巻き付けられ、巻き付け後に加熱されることによって形状が保持された合成樹脂からなる線状体とを有する水引である。すなわち、水引は、芯材の表面に合成樹脂からなる線状体を巻き付けた後、これら芯材と線状体を、線状体が溶けない温度で加熱して線状体の巻き付け状態を保持することによって製造される。
【００１３】
つまり、水引は、接着剤を用いずに製造することができるので、接着剤のはみ出し等により外観が損なわれることはなく、また、部分的に接着不良が発生したりすることもない。さらに、線状体は熱により形状が固定されているので、製造後に、剥がれたりするようなこともない。
【００１４】
そのうえ、製造に際しては、芯材に対して線状体を巻き付けてからそのまま加熱工程に移行すればよいので、製造は容易に行える。
【００１５】
上記線状体には、たとえばポリエチレン等の適宜の構成樹脂からなるモノフィラメント糸やテープヤーンなどが使用できる。また、それ自体が肉眼で視認可能な太さと色などの装飾を有したものであるも、肉眼では容易に視認不可能な太さのものであるも、適宜使用される。
【００１６】
特に後者の場合には、線状体の下または上に、合成樹脂からなる装飾用線状体が巻き付けられるとよい。装飾用線状体としては、たとえば、テープヤーンや無撚糸、撚糸等が好適に使用できる。
【００１７】
また、線状体自体が芯材に巻き付いた状態を維持するので、芯材には、紙撚芯のほかに、たとえば各種の糸や伸縮可能な糸もしくは紐状のゴムなどを使用することもできる。
【発明の効果】
【００１８】
以上のように、この発明によれば、水引を容易に製造できる上に、線状体自らの形状保持能力により巻付け状態が保持されるので、従来のように接着剤によって巻付け状態を保持していた場合に比して、汚れによる外観の損傷、接着不良、製造後の剥がれなどの不都合が解消できる。  
このため、外観美麗で装飾効果の高い水引を得ることができる。
【００１９】
また、線状体自体が芯材に対する巻き付き状態を維持するので、芯材がたとえば伸縮するものであっても剥がれたりすることはなく、伸縮等の機能を有する水引を得ることもできる。
【発明を実施するための最良の形態】
【００２０】
この発明を実施するための一形態を、以下図面を用いて説明する。  
図１は、水引１１の概略構造を示す斜視図であり、この図に示すように水引１１は、芯材２１の周囲に、被覆材３１を被覆して構成されている。
【００２１】
また、図２は、水引１１の製造方法を示す概略説明図であり、この図に示すように水引１１は、巻付け工程（ａ），（ｂ）、加熱工程（ｃ）を経て製造される。すなわち、一直線に伸ばした芯材２１に対して、被覆材３１を構成するための線状の部材を巻き付ける。次に、これらを加熱して、被覆材３１の巻付け状態を保持する。図中４１は、ヒータである。この後は、必要に応じて切断等の必要な後処理がなされる。
【００２２】
上記芯材２１には、紙撚芯のほか、糸、金属製や合成樹脂製の線材、伸縮性を有する紐または糸状のゴム等が適宜使用される。
【００２３】
上記被覆材３１を構成するための線状の部材は、得ようとする外観に応じて適宜選択され組み合わされるが、少なくとも保形用線状体を有する。保形用線状体は、芯材２１の表面に巻き付けられ、巻付け後に加熱されることによって形状が保持される合成樹脂製のものである。
【００２４】
この保形用線状体には、たとえばポリエチレンなどからなるモノフィラメント糸等が好適に用いられる。好ましくは、生分解性の材料からなるものであると、使用後の処理が容易で、環境に負担をかけないのでよい。
【００２５】
保形用線状体のほかには、必要に応じて、合成樹脂等からなる装飾用線状体が使用される。この装飾用線状体には、たとえば蒸着やその他の適宜手段より色彩、模様、光沢、透光性等を有する合成樹脂フィルムを細幅テープ状にカットして得られるテープヤーンや、無撚糸、撚糸などが使用できる。
【００２６】
図３、図４、図５が、被覆材３１を構成するための線状の部材、すなわち保形用線状体、または保形用線状体と装飾用線状体の組合せの例を示している。なお、図３では、芯材２１に紙撚芯２１ａを用いた水引１１の例を示し、図４、図５、図６では、芯材２１にゴム芯２１ｂを用いた水引１１の例を示す。
【００２７】
図３は、ポリエチレンまたはポリエステルからなるモノフィラメント糸（好ましくは生分解性のもの）を保形用線状体３２として用いた例を示す。この場合の保形用線状体３２は、肉眼で視認可能な太さを有し、適宜の色・柄等を呈する円形断面ものが使用される。つまり、保形用線状体３２は装飾の機能も有する。紙撚芯２１ａが直径１mm程であるのに対して、保形用線状体３２は、たとえば２００〜３５０デニール、好ましくは２８０デニールほどのものが好適に使用できる。
【００２８】
図３（ａ）は、上記のような保形用線状体３２を巻付け工程において密に巻き付けた例である。加熱工程を経ることによって、保形用線状体３２は紙撚芯２１ａに対して巻き付いた形に保持されるとともに、巻付け時の力によって紙撚芯２１ａに対して食い込む様に巻き付くので、保形用線状体３２が引っ張られても容易に外れるようなことはない。また、上述のように密に巻きつけると、保形用線状体３２が円形断面を有するので、表面に微妙な凹凸ができ、落ち着いた感じの美麗な外観を呈する。しかも、結んだ時に滑りにくく、結ぶ時の作業性も良好な水引が得られる。
【００２９】
なお、加熱工程での加熱温度は、保形用線状体３２が溶けずに形状保持ができる温度、たとえば１００〜１５０度くらいに設定するとよい。以下、同様である。
【００３０】
図３（ｂ）は、上記のような保形用線状体３２を巻付け工程において粗に巻き付けるとともに、保形用線状体３２の間の隙間に、装飾用線状体としてのテープヤーン３３を巻き付けた例である。テープヤーン３３は、保形用線状体３２とは異なる適宜の色・柄を有するものであって、特に、金銀あるいは光沢を有するものを使用するのを使用するのが好ましい。保形用線状体３２とテープヤーン３３の巻き付けは、それぞれ別々に行うこともできるもが、同時に行う方が工程を少なくできるのでよい。保形用線状体３２と装飾用線状体としてのテープヤーン３３との組合せにより美麗な外観が得られる。また、結んだ時には保形用線状体３２同士が噛み合うので滑りにくく、結ぶ時の作業性も良好である。
【００３１】
図３（ｃ）は、巻付け工程において、保形用線状体３２を粗に巻き付けるとともに、保形用線状体３２を覆うように、装飾用線状体としてのテープヤーン３３を巻き付けた例である。
【００３２】
図４も、ポリエチレンまたはポリエステルからなるモノフィラメント糸（好ましくは生分解性のもの）を保形用線状体３２として用いた例を示し、この場合の保形用線状体３２も、肉眼で視認可能な太さを有し、適宜の色・柄等を呈するものが使用される。つまり、保形用線状体３２は装飾の機能も有する。ゴム芯２１ｂが直径１mm程であるのに対して、保形用線状体３２は、たとえば２００〜３５０デニール、好ましくは２８０デニール程度のものが好適に使用できる。
【００３３】
図４（ａ）は、図３（ａ）の場合と同様に、巻付け工程において保形用線状体３２を密に巻き付けた例である。保形用線状体３２は加熱工程を経ることによって、ゴム芯２１ｂに巻き付いたときの形状に保持されるので、不測に外れることはなく、ゴム芯２１ｂの伸縮を阻害することもない。
【００３４】
図４（ｂ）は、巻付け工程において保形用線状体３２を密に巻き付けるとともに、装飾用線状体としての無撚糸３４を、保形用線状体３２の上に密に巻き付けた例である。保形用線状体３２は加熱工程を経ることによって、ゴム芯２１ｂに巻き付いたときの形状に保持され、この上に位置する無撚糸３４は、端部が引っ張られると水引１１の径方向に縮もうとするので、保形用線状体３２間に食い込もうとする。この結果、無撚糸３４が解けることはない。なお、無撚糸３４と保形用線状体３２の配置は逆であるもよい。
【００３５】
図５も、ポリエチレンまたはポリエステルからなるモノフィラメント糸（好ましくは生分解性のもの）を保形用線状体として用いた例を示すが、この場合の保形用線状体３２，３３は、肉眼で視認可能な太さを有し、適宜の色・柄等を呈し、装飾の機能も有する保形用線状体（第１保形用線状体３２ａ）と、肉眼では容易に視認困難な太さを有し、透明に近い外観を呈して、装飾の機能を有しない保形用線状体（第２保形用線状体３２ｂ）が使用される。第２保形用線状体３２ｂには、芯材が直径１mm程であるのに対して、たとえば１０〜３０デニール、好ましくは１５〜２０デニールのものが好適に使用できる。
【００３６】
すなわち、図５は、巻付け工程において、第１保形用線状体３２ａをゴム芯２１ｂに対して密に巻き付けるとともに、この第１保形用線状体３２ａの上に、装飾用線状体としてのテープヤーン３３を密にまたは粗に巻き付ける。巻付けに際しては、第１保形用線状体３２ａの巻く方向と、テープヤーン３３の巻く方向を逆に設定すると、水引１１に歪が発生しないのでよい。そして、これらの上に、上記第２保形用線状体３２ｂを巻き付ける。
【００３７】
このように第１保形用線状体３２ａとテープヤーン３３と第２保形用線状体３２ｂとからなる水引１１では、加熱工程を経ることによって、第１保形用線状体３２ａと第２保形用線状体３２ｂの形状が巻き付き状態に保たれる。このため、第２保形用線状体３２ｂがテープヤーン３３を上から押えることになるため、テープヤーン３３の巻き付き状態が保持されるとともに、テープヤーン３３が引っ張られたときには、テープヤーン３３は水引１１の径方向に縮もうとするので、第１保形用線状体３２ａ間に食い込んで、解けるようなことはない。
【００３８】
図６は、上記第２保形用線状体３２ｂと同様の、細く、装飾性を有しない保形用線状体３２のみを用いた例を示す。
【００３９】
すなわち、図６（ａ）は、巻付け工程において、装飾用線状体としての無撚糸３４とテープヤーン３３とをそれぞれ粗に巻き付けるとともに、これらの上に、２本の線状体３２，３２をＳ撚り方向およびＺ撚り方向に巻き付けている。２本の保形用線状体３２，３２が無撚糸３４とテープヤーン３３とを覆うように巻き付き、その形状が保持される。しかも、保形用線状体３２，３２が引っ張られたときには、保形用線状体３２，３２は、径方向に縮もうとするため、解けるようなことはない。
【００４０】
図６（ｂ）は、装飾用線状体を無撚糸３４のみで構成した例を示す。保形用線状体３２は、ゴム芯２１ｂに対して密に巻き付けた無撚糸３４の上から粗に巻付けられる。
【００４１】
上記図３〜図６に例示したように、保形用線状体３２のみ、または保形用線状体３２と装飾用線状体を適宜組み合わせて巻き付け、加熱処理するだけで製造できるので、従来のように接着剤が必要なことはない。このため、接着剤の過不足による接着不良や接着ムラ、汚れ等の不都合を回避し、製造を容易にし、生産効率を上げることもできる。また、接着剤が不要であるため、接着される芯材および被覆材と接着剤の相性に関わりなく水引の製造ができる。
【００４２】
これらの結果、所望の美麗な外観やバリエーションに富んだ外観、所望の機能を得ることができ、水引の利用範囲を格段に広げ、さまざまな分野において使用される水引を得ることができる。
【００４３】
その一例として、芯材を伸縮可能なゴム芯で構成した場合には、外観美麗であるとともに、伸縮性を有する。しかも、保形用線状体が芯材に対する巻付け状態を維持するので、芯材がゴム芯２１ｂであっても剥がれたりすることはなく、伸縮等の機能に支障はない。このため、編織物で被覆されて構成されていた従来のゴム紐にとって代わる機能を有した水引とすることができる。
【００４４】
この発明の構成と、上記一形態の構成との対応において、  
この発明の芯材は、上記紙撚芯２１ａ、ゴム芯２１ｂに対応し、  
同様に、  
線状体は、保形用線状体３２、第１保形用線状体３２ａ、第２保形用線状体３２ｂに対応し、  
装飾用線状体は、テープヤーン３３、無撚糸３４に対応するも、  
この発明は、上記一形態の構成のみに限定されるものではなく、その他の形態を採用することもできる。
【図面の簡単な説明】
【００４５】
【図１】水引の概略構造を示す斜視図。
【図２】水引の製造工程を示す説明図。
【図３】水引の構造を示す説明図。
【図４】水引の構造を示す説明図。
【図５】水引の構造を示す説明図。
【図６】水引の構造を示す説明図。
【符号の説明】
【００４６】
１１…水引
２１…芯材
２１ａ…紙撚芯
２１ｂ…ゴム芯
３２…保形用線状体
３２ａ…第１保形用線状体
３２ｂ…第２保形用線状体
３３…テープヤーン
３４…無撚糸
【図１】
2008002038.tif 000003
【図２】
2008002038.tif 000004
【図３】
2008002038.tif 000005
【図４】
2008002038.tif 000006
【図５】
2008002038.tif 000007
【図６】
2008002038.tif 000008